(57)【特許請求の範囲】
【請求項１】
耳栓と当該耳栓に音響振動を与える音響振動発生装置とを有する音響装置であって、
前記耳栓は、外耳道に挿入される遮音性の柔軟な耳栓体と当該耳栓体の反挿入側端部に被せて設けられた定形のキャップ体とを有し、
前記キャップ体は、前記音響振動発生装置の振動出力面と接触して振動を受ける受振面をその先端部に有し、
前記振動出力面は凹曲面であり、
前記受振面は凸曲面であり、
前記凸曲面の曲率半径は、２ｍｍ以上１０ｍｍ以下であり、
前記振動出力面の曲率半径は前記受振面の先端部の曲率半径と等しいかそれよりも大であり、
前記受振面は、その先端部よりもその周囲の曲率が大きくなっていることを特徴とする、音響装置。
【請求項２】
耳栓と当該耳栓に音響振動を与える音響振動発生装置との接触構造であって、
前記耳栓は、外耳道に挿入される遮音性の柔軟な耳栓体と当該耳栓体の反挿入側端部に被せて設けられた定形のキャップ体とを有し、
前記キャップ体は、前記音響振動発生装置の振動出力面と接触して振動を受ける受振面をその先端部に有し、
前記振動出力面は凹曲面であり、
前記受振面は凸曲面であり、
前記凸曲面の曲率半径は、２ｍｍ以上１０ｍｍ以下であり、
前記振動出力面の曲率半径は前記受振面の先端部の曲率半径と等しいかそれよりも大であり、
前記受振面は、その先端部よりもその周囲の曲率が大きくなっていることを特徴とする、耳栓と音響振動発生装置との接触構造。
【請求項３】
外耳道に挿入される遮音性の柔軟な耳栓体と当該耳栓体の反挿入側端部に設けられたキャップ体とを有し、音響振動発生装置の振動出力面との接触により可振されて音響振動を当該外耳道に伝える耳栓であって、
前記キャップ体は、前記振動出力面と接触して振動を受ける受振面をその先端部に有し、
前記振動出力面は凹曲面であり、
前記受振面は凸曲面であり、
前記凸曲面の曲率半径は、２ｍｍ以上１０ｍｍ以下であり、
前記受振面は、その先端部よりもその周囲の曲率が大きくなっている  ことを特徴とする、耳栓。
【請求項４】
前記キャップ体は、前記受振面とは反対側に円形の凹部又は円環状のスリーブ部を有し、
前記耳栓体の反挿入側端部が前記凹部又は前記スリーブ部に挿入され固定されている、請求項３記載の耳栓。
【請求項５】
請求項３又は４の耳栓に接触して音響振動を与える音響振動発生装置であって、
前記振動出力面が凹曲面であり、
前記振動出力面の曲率半径は前記受振面の曲率半径と等しいかそれよりも大である、音響振動発生装置。
【請求項６】
前記振動出力面の中央に開口部を有し、
前記振動出力面を振動させる音響振動発生源の振動出力部が当該開口部から外部に臨ませて設けられている、請求項５記載の音響振動発生装置。
【発明の詳細な説明】
【技術分野】
【０００１】
本発明は、遮音性の耳栓を外耳道に装着した状態で使用する音響装置に関する。
【背景技術】
【０００２】
外耳道に耳栓を装着した状態でその耳栓に骨伝導スピーカ（振動発生源）を押し当てて音声を聴くタイプの音響装置が知られている。（特許文献１、特許文献２）
【先行技術文献】
【特許文献】
【０００３】
【特許文献１】実開平６−２６３２８号公報
【特許文献２】特開平５−２０７５７９号公報
【発明の概要】
【発明が解決しようとする課題】
【０００４】
上述した従来の音響装置は、耳栓の反挿入側端面と骨伝導スピーカの振動面とを互いに面接触させた状態で、骨伝導スピーカの振動を耳栓に伝達するように構成されている。このため、この種の従来の音響装置は、耳栓の反挿入側端面に対して骨伝導スピーカの振動面が傾いた姿勢になると、両面間の接触不良により振動の伝達効率が低下し、本来の音響性能を発揮し得なくなる。【０００５】
本発明が解決しようとする課題は、遮音性の耳栓を外耳道に装着した状態で常に良好な聴取性能を発揮し得る音響装置、当該音響装置に好適な接触構造、耳栓及び音響振動発生装置を提供することにある。
【課題を解決するための手段】
【０００６】
上記課題を解決するために、本発明は以下の技術的手段を採用したものである。【０００７】
［音響装置］
本発明の音響装置は、耳栓と当該耳栓に音響振動を与える音響振動発生装置とを有する音響装置であって、前記耳栓は、外耳道に挿入される遮音性の柔軟な耳栓体と当該耳栓体の反挿入側端部に被せて設けられた定形のキャップ体とを有し、前記キャップ体は、前記音響振動発生装置の振動出力面と接触して振動を受ける受振面をその先端部に有し、前記振動出力面は凹曲面であり、前記受振面は凸曲面であり、前記凸曲面の曲率半径は、２ｍｍ以上１０ｍｍ以下であり、前記振動出力面の曲率半径は前記受振面の曲率半径と等しいかそれよりも大である、という特徴を有している。
ここで「反挿入側端部」とは、耳栓の着用時に外耳道から露出する側の端部の意味である（以下同様）。【０００８】
本発明の音響装置において、定形部は耳栓体よりも硬質の部材である。定形部は、半球状または球状に形成されていることが望ましい。定形部は、金属、プラスチック、硬質ゴム、又は木材からなる。耳栓体は、形状復元性と柔軟性とを併せ持っていることが望ましい。凸曲面の曲率は等方的に一定であり、凹曲面の曲率は等方的に一定であることが望ましい。耳栓体の反挿入側端部の半径は４ｍｍ乃至８ｍｍである。【０００９】
［接触構造］
本発明の接触構造は、耳栓と当該耳栓に音響振動を与える音響振動発生装置との接触構造であって、前記耳栓は、外耳道に挿入される遮音性の柔軟な耳栓体と当該耳栓体の反挿
入側端部に被せて設けられた定形のキャップ体とを有し、前記キャップ体は、前記音響振動発生装置の振動出力面と接触して振動を受ける受振面をその先端部に有し、前記振動出力面は凹曲面であり、前記受振面は凸曲面であり、前記凸曲面の曲率半径は、２ｍｍ以上１０ｍｍ以下であり、前記振動出力面の曲率半径は前記受振面の曲率半径と等しいかそれよりも大である、という特徴を有している。【００１０】
本発明の接触構造において、定形部は耳栓体よりも硬質の部材である。定形部は、半球状または球状に形成されていることが望ましい。定形部は、金属、プラスチック、硬質ゴム、又は木材からなる。耳栓体は、形状復元性と柔軟性とを併せ持っていることが望ましい。凸曲面の曲率は等方的に一定であり、凹曲面の曲率は等方的に一定であることが望ましい。耳栓体の反挿入側端部の半径は４ｍｍ乃至８ｍｍである。【００１１】
［耳栓］
本発明の耳栓は、外耳道に挿入される遮音性の柔軟な耳栓体と当該耳栓体の反挿入側端部に被せて設けられたキャップ体とを有し、音響振動発生装置の振動出力面との接触により可振されて音響振動を当該外耳道に伝える耳栓であって、前記キャップ体は、前記振動出力面と接触して振動を受ける受振面をその先端部に有し、前記振動出力面は凹曲面であり、前記受振面は凸曲面であり、前記凸曲面の曲率半径は、２ｍｍ以上１０ｍｍ以下である、という特徴を有している。【００１２】
本発明の耳栓において、前記キャップ体は、前記受振面とは反対側に円形の凹部又は円環状のスリーブ部を有し、前記耳栓体の反挿入側端部が前記凹部又は前記スリーブ部に挿入され固定されていることが望ましい。
前記キャップ体の形状の例として、球状又は半球状を挙げることができる。
前記キャップ体の形状が半球状の場合、前記凹部又は前記スリーブ部は当該半球状のキャップ体の平面部の中央に形成される。【００１３】
本発明の耳栓において、定形部は耳栓体よりも硬質の部材である。定形部は、半球状または球状に形成されていることが望ましい。定形部は、金属、プラスチック、硬質ゴム、又は木材からなる。耳栓体は、形状復元性と柔軟性とを併せ持っていることが望ましい。耳栓体の反挿入側端部の半径は４ｍｍ乃至８ｍｍである。定形部の耳栓体の反挿入側端部との結合部の半径は、耳栓体の反挿入側端部の半径と等しいかそれよりも大である。【００１４】
[音響振動発生装置]
本発明の音響振動発生装置は、本発明の耳栓に接触して音響振動を与える音響振動発生装置であって、前記振動出力面が凹曲面であり、前記振動出力面の曲率半径は前記受振面の曲率半径と等しいかそれよりも大である、という特徴を有している。
本発明の音響振動発生装置において、前記振動出力面の中央に開口部を設け、前記振動出力面を振動させる音響振動発生源の振動出力部を当該開口部から外部に臨ませて設けてもよい。
【発明の効果】
【００１５】
本発明の音響装置は、遮音性の耳栓を外耳道に装着した状態で常に良好な聴取性能を発揮する。
本発明の接触構造によれば、本発明の音響装置を実現できる。
本発明の耳栓は、本発明の音響装置の耳栓に好適である。本発明の耳栓は、耳栓体の反挿入側端部にキャップ体を被せて設けることにより容易に製造できる。耳栓体として、遮音性の高い市販の耳栓を使用することにより、当該耳栓の持つ高い遮音性・安全性をそのまま生かしつつ、本発明の耳栓を実現できる。
本発明の音響振動発生装置は、本発明の音響装置の音響振動発生装置に好適である。
【図面の簡単な説明】
【００１６】
【図１】耳栓の形態例を示す側面図
【図２】音響装置の形態例（使用状態）を示す側面図
【図３】音響装置の形態例を示す正面図
【図４】（Ａ）は耳栓と骨伝導スピーカとが互いに傾き無く接触している状態を示す断面図  （Ｂ）は耳栓と骨伝導スピーカとが互いに傾いた姿勢で接触している状態を示す断面図
【図５】（Ａ）〜（Ｄ）は耳栓のその他の形態例を示す側面図
【図６】耳栓の別の形態例を示す断面図
【発明を実施するための形態】
【００１７】
以下、本発明の実施形態について説明する。
【００１８】
［構成］
図１は耳栓の形態例を示す断面図である。
図１に示す耳栓２１は、柔軟に変形して外耳道に挿入される遮音性の耳栓体２２と当該耳栓体２２の反挿入側端部２２ａに被せて設けられた定形のキャップ体２３とを有する。キャップ体２３は、その先端部に受振面２３ａを有する。受振面２３ａは、曲率が等方的に一定の凸曲面（この例では、半球面）である。受振面２３ａの曲率半径Ｒ１は、２ｍｍ以上１０ｍｍ以下の範囲から選ばれる。
【００１９】
耳栓体２２は、形状復元性と柔軟性とを併せ持っている。耳栓体２２の反挿入側端部２２ａの非圧縮時の半径は４ｍｍ乃至８ｍｍである。耳栓体２２の形状は、円柱形である。キャップ体２３の形状は半球状である。キャップ体２３の平面部の中央には円形の凹部が形成されており、この凹部に耳栓体２２の反挿入側端部２２ａが挿入され接着により固定されている。キャップ体２３は耳栓体２２よりも硬質の部材である。キャップ体２３は、金属、プラスチック、硬質ゴム、又は木材からなる。
【００２０】
図２、図３は音響装置の形態例を示している。図２は使用状態を示す側面図である。図３は音響装置を構成するイヤホンの正面図である。
音響装置１は、使用者の頭部に着脱自在に装着されるイヤホン（装着体）１１を有している。
イヤホン１１は、第1骨伝導スピーカ（音響振動発生装置）２４Ｒと第２骨伝導スピー
カ（音響振動発生装置）２４Ｌと、を有する。第1骨伝導スピーカ２４Ｒは、使用者の一
方（右耳）の外耳道に装着されている第１耳栓２１Ｒのキャップ体２３に接触する。第２骨伝導スピーカ２４Ｌは、当該使用者の他方（左耳）の外耳道に装着されている第２耳栓２１Ｌのキャップ体２３に接触する。
イヤホン１１は、装着時に使用者の後頭部を跨ぐ円弧状又は略馬蹄形状のヘッドバンド部１１Ａと、当該ヘッドバンド部１１Ａの一端から使用者の一方の耳介の根本を跨ぐようにしてアーチ状に延びる第１耳掛部１１Ｂ（Ｒ）と、当該ヘッドバンド部１１Ａの他端から使用者の他方の耳介の根本を跨ぐようにしてアーチ状に延びる第２耳掛部１１Ｂ（Ｌ）と、第１耳掛部１１Ｂ（Ｒ）から使用者の一方の耳穴に延びる第１アーム部１１Ｃ（Ｒ）と、第２耳掛部１１Ｂ（Ｌ）から使用者の他方の耳穴に延びる第２アーム部１１Ｃ（Ｌ）と、を有している。両アーム部１１Ｃ（Ｒ）、１１Ｃ（Ｌ）の先端部は互いに内向きにＬ字形に屈曲している。
そして、右側のアーム部１１Ｃ（Ｒ）の当該屈曲した部分の先端部に第1骨伝導スピー
カ２４Ｒが、左側のアーム部１１Ｃ（Ｌ）の当該屈曲した部分の先端部に第２骨伝導スピーカ２４Ｌが、それぞれ設けられている。第１アーム部１１Ｃ（Ｒ）は、第１耳掛部１１Ｂ（Ｒ）に回動可能に連結されている。第２アーム部１１Ｃ（Ｌ）は、第２耳掛部１１Ｂ
（Ｌ）に回動可能に連結されている。
【００２１】
第1骨伝導スピーカ２４Ｒ及び第２骨伝導スピーカ２４Ｌは、図示しない外部機器から
送信されてきた音声信号（電気信号）を音響振動に変換する電気音響変換器（音響振動発生源）２６を備えている（図４参照）。電気音響変換器２６の例として、圧電型スピーカ、静電型変換器、電磁型変換器、ダイナミック型変換器、等を挙げることができる。
【００２２】
耳栓２１Ｒ、２１Ｌは、キャップ体２３を指で摘んで耳栓体２２を挿入側端面２２ａ側から外耳道内に挿入することにより、外耳道に装着される。耳栓体２２の外周面は外耳道の内面に全周に亘って密着する。耳栓２１Ｒ、２１Ｌを装着することにより、装着者の外耳道内を外部からの騒音を遮断した静かな環境（例えば、外部の騒音レベルよりも約２０ｄＢ乃至３０数ｄＢ低い騒音レベルの環境）に保つことができる。
【００２３】
図４（Ａ）、（Ｂ）は耳栓２１Ｒ及び２１Ｌと骨伝導スピーカ２４Ｒ及び２４Ｌとの接触構造を示している。
骨伝導スピーカ２４Ｒ及び２４Ｌは、耳栓２１Ｒ及び２１Ｌの受振面２３ａと接触する振動出力面２４ａを有している。振動出力面２４ａは、曲率が等方的に一定の凹曲面（この例では、凹球面）であり、その曲率半径Ｒ２は、受振面２３ａの曲率半径Ｒ１よりも大（Ｒ２＞Ｒ１）である。
【００２４】
［作用］
この音響装置１は、第１耳栓２１Ｒを使用者の一方（右）の外耳道に、第２耳栓２１Ｌをその使用者のもう一方（左）の外耳道に、それぞれ装着した状態で、第１骨伝導スピーカ２４Ｒの振動出力面２４ａを第１耳栓２１Ｒのキャップ体２３の受振面２３ａに、第２骨伝導スピーカ２４Ｌの振動出力面２４ａを第２耳栓２１Ｌのキャップ体２３の受振面２３ａに、それぞれ当接させて使用する。受振面２３ａと振動出力面２４ａとが互いに非接触状態のときには、振動出力面２４ａが振動するのみであり、耳栓２１Ｒ、２１Ｌには全く振動が発生しない。
【００２５】
骨伝導スピーカ２４Ｒ及び２４Ｌは、入力された音声信号（電気信号）を音響振動に変換する。すなわち、骨伝導スピーカ２４Ｒ及び２４Ｌは、入力された音声信号（電気信号）に応じて左右の振動出力面２４ａを各々振動させる。右耳側の骨伝導スピーカ２４Ｒの振動出力面２４ａが振動することにより、右側の外耳道に装着された耳栓２１Ｒのキャップ体２３に振動が伝達され、左耳側の骨伝導スピーカ２４Ｌの振動出力面２４ａが振動することにより、左側の外耳道に装着された耳栓２１Ｌのキャップ体２３に振動が伝達される。各キャップ体２３の振動は、各耳栓２１Ｒ、２１Ｌの耳栓体２２に伝達される。耳栓体２２が振動することにより、耳栓体２２の挿入側端面２２ａから外耳道内に音（空気を媒体とする音）が放出され、音声となって鼓膜に伝達される。また、耳栓体２２の振動は、外耳道の皮膚等を媒体として鼓膜などの聴覚器官に伝達される。空気を媒体とする音と皮膚等を媒体とする音の割合（音量比）は、耳栓体２２及びキャップ体２３の材質、寸法などを適宜選定することにより、調整可能である。
【００２６】
硬質の部材からなる骨伝導スピーカ２４Ｒ、２４Ｌの振動出力面２４ａと耳栓体２２よりも硬質の部材であるキャップ体２３とを互いに当接させることによって振動出力面２４ａの振動を耳栓２１に伝達するので、両者間の振動伝達効率は、軟質材のみからなる従来の耳栓と骨伝導スピーカ間における振動の伝達効率と比較して格段と高くなる。振動出力面２４ａはキャップ体２３の受振面２３ａに強く圧接している必要はなく、接触していればよい。両者間の接触圧は、イヤホン１１のアーム部１１Ｃ（Ｒ）、１１Ｃ（Ｌ）の剛性（弾性）を適宜選定することにより、調整可能である。
【００２７】
［効果］
この音響装置１は、左右の外耳道に耳栓２１Ｒ、２１Ｌを装着した状態で、耳栓体２２の反挿入側端部２２ａに設けられたキャップ体２３の受振面（曲率が等方的に一定の凸曲面）２３ａにイヤホン１１の左右の骨伝導スピーカ２４Ｒ、２４Ｌの振動出力面（曲率が等方的に一定の凹曲面）２４ａの一部を当接させた状態で使用するように構成されているので、耳栓体２２に対して骨伝導スピーカ２４Ｒ、２４Ｌが傾いた姿勢（図４（Ｂ）参照）になっても、従来のような接触不良の状態にはならず、骨伝導スピーカ２４Ｒ、２４Ｌの振動が常に高効率に耳栓２１Ｒ、２１Ｌに伝達される。したがって、常に良好な聴取性能を発揮し得る。
【００２８】
また、この音響装置１によれば、耳栓２１Ｒ、２１Ｌにより使用者の外耳道内を外部からの騒音を遮断した静かな環境に保った状態で、耳栓２１Ｒ、２１Ｌのキャップ体２３に振動を与えて音声を聴取することができる。したがって、高騒音下においても極めて高い聴取性能を発揮し得る。
【００２９】
［その他］
なお、上記の例では、アーム部１１Ｃ（Ｒ）、１１Ｃ（Ｌ）が耳掛部１１Ｂ（Ｒ）、１１Ｂ（Ｌ）に回動可能に連結されているが、アーム部１１Ｃ（Ｒ）、１１Ｃ（Ｌ）の外殻を、自由に変形させることができ且つ変更後の姿勢に自律保持可能な部材で構成することにより、アーム部１１Ｃ（Ｒ）、１１Ｃ（Ｌ）の姿勢又は形状を可変にしてもよい。
【００３０】
また、上記の例では、円柱形の耳栓体２２を備えた耳栓２１Ｒ、２１Ｌについて説明したが、耳栓体２２の形状は弾丸形（挿入側端部が細くなった略円柱形）でもよい。
【００３１】
また、イヤホン１１の形態は、図２、図３の形態に限定されない。上記の例のイヤホン１１は、右耳用と左耳用の二つの骨伝導スピーカ２４Ｒ、２４Ｌを備えているが、何れか一方の骨伝導スピーカ２４Ｒ又は２４Ｌのみ備えた片耳タイプの音響装置とすることも可能である。ただし、片耳タイプの音響装置を使用する場合でも、両方の耳に耳栓を装着することが望ましい。両耳を騒音から保護するためである。
【００３２】
図５（ａ）〜（ｄ）は耳栓２１のその他の形態例を示している。（ａ）の耳栓２１は半球状のキャップ体２３を備えている。（ｂ）の耳栓２１は略球状のキャップ体２３を備えている。（ｃ）の耳栓２１は部分球体状のキャップ体２３を備えている。（ｄ）の耳栓２１は偏平球体状（回転楕円体状）のキャップ体２３を備えている。（ａ）〜（ｃ）何れの耳栓２１のキャップ体２３も、曲率が等方的に一定の凸曲面からなる受振面２３ａを有している。キャップ体２３の内部構造は、充実構造でも中空構造でもよい。
【００３３】
図５（ａ）〜（ｃ）は、キャップ体２３の先端面全体の曲率が等方的に一定の形態例を示している。
図５（ｄ）に示すように、キャップ体２３の先端面全体の曲率が等方的に一定である必要はない。また、受振面２３ａの先端部の大部分の曲率が一定であれば、その周辺部から曲率を変化させてもよい。図５（ｄ）の例では、受振面２３ａの先端部よりもその周囲の曲率が大きくなっている。
図５（ｂ）に示す球形状のキャップ体２３の表面に多数のディンプルを形成することにより、ゴルフボールの形状を模したキャップ体２３を有する耳栓２１が得られる。
【００３４】
耳栓体２２として、遮音値（ＮＲＲ）が２０ｄＢ以上（好ましくは３０ｄＢ以上）の遮音性の高い市販の耳栓を使用することが望ましい。長年の使用実績により遮音性・安全性が確認されている市販の耳栓の一端にキャップ体２３を被せて接着することにより、当該耳栓の持つ高い遮音性・安全性をそのまま生かしつつ、本発明の耳栓２１を実現できる。
したがって、本発明の耳栓２１を両耳に装着し、その外側にイヤホン１１を装着することにより、労働安全衛生法に基づく騒音障害防止のためのガイドラインに沿った騒音障害防止対策を実施しつつ、高騒音の作業環境での音声によるコミュニケーションが可能となる。
【００３５】
市販の遮音性の耳栓の反挿入側端部２２ａの半径は、最も小サイズのもので４ｍｍ程度であり、最も大サイズのもので８ｍｍ程度である。耳栓の反挿入側端部２２ａの周囲に被さる部分の厚さの最小値を１ｍｍとした場合、反挿入側端部２２ａの半径が４ｍｍの耳栓に曲率半径Ｒ１が６ｍｍの半球状のキャップ体２３を被せることにより、図５（ａ）の形状の最も小サイズの耳栓２１が得られる。同様に、反挿入側端部２２ａの半径が８ｍｍの耳栓に曲率半径Ｒ１が１０ｍｍの半球状のキャップ体２３を接着することにより、図５（ａ）の形状の最も大サイズの耳栓２１が得られる。曲率半径Ｒ１が４ｍｍの半球状のキャップ体２３の場合でも、耳栓の反挿入側端部２２ａを若干圧縮してキャップ体２３を被せることにより、耳栓２１を得ることができる。キャップ体２３の受振面２３ａの曲率半径Ｒ１の値は理論上無制限であるが、実用上１０ｍｍが上限である。これ以上曲率半径Ｒ１を大きくして十分な面積の受振面２３ａを得るとなると、耳栓体２２に対してキャップ体２３が大きくなりすぎるため、使い勝手、装着感、着用時の安定性等が悪くなるといった問題が生じる。
【００３６】
受振面２３ａの曲率半径Ｒ１を３ｍｍ未満とする場合、図６に示すように、キャップ体２３の本体部（耳栓体の反挿入側端部２２ａに被さる部分）２３ｂの中央に突起２３ｃを設け、その先端に受振面２３ａを形成することが望ましい。突起２３ｃの先端部を球状に形成してもよい。図６の構成の場合も、市販の耳栓の一端にキャップ体２３を被せて接着することにより、当該耳栓の持つ高い遮音性・安全性をそのまま生かしつつ、本発明の耳栓２１を実現できる。
ただし、受振面２３ａの曲率半径Ｒ１を２ｍｍよりも小さくすると、必ずそうなるとまではいえないが、振動出力面２４ａ振動出力面２４ａとの間で滑りが発生しやすくなることが経験上判っている。この不具合を回避するべく振動出力面２４ａの曲率半径Ｒ２を受振面２３ａに合わせて小さくすると、イヤホン１１を装着する際に、受振面２３ａと振動出力面２４ａとの位置合わせがし難くなる。また、突起２３ｃが必須となり強度低下を招く可能性が大きくなる。
【００３７】
上記の例では、振動出力面２４ａの曲率が等方的に一定であるとしたが、振動出力面２４ａの中央部（最奥部）の曲率を等方的に一定とし、その周辺部から曲率を変化させてもよい。
また、振動出力面２４ａの中央部に開口部を設け、スピーカ２４Ｒ、２４Ｌ内の電気音響変換器２６の振動出力部を当該開口部から振動出力面２４ａと略同一面となるように外部に臨ませてもよい。この構成によれば、電気音響変換器２６からの振動を直接耳栓２１のキャップ体２３に伝えることもできる。
【００３８】
上記の例では、振動出力面２４ａの曲率半径Ｒ２が受振面２３ａの曲率半径Ｒ１よりも大、すなわちＲ２＞Ｒ１である場合を例示したが、Ｒ２＝Ｒ１とすることも可能である。
【産業上の利用可能性】
【００３９】
本発明の音響装置は、補聴器に利用できる。すなわち、本発明の音響装置の装着体に、マイクロホン、当該マイクロホンの出力信号に応じて骨伝導スピーカを駆動する駆動回路（増幅回路、フィルタ回路などを含む）、電池、ボリュームコントローラ（出力音量調節器）、などを付加することにより、小型・軽量で、装着感が極めて良好であり、高騒音下においても極めて高い聴取性能を発揮する補聴器を実現できる。
【符号の説明】
【００４０】
１  音響装置
１１  イヤホン
２１  耳栓
２１Ｒ  第１耳栓
２１Ｌ  第２耳栓
２２  耳栓体
２２ａ  反挿入側端部
２３  定形部
２３ａ  受振面（凸曲面）
２４Ｒ  第1骨伝導スピーカ（音響振動発生装置）
２４Ｌ  第２骨伝導スピーカ（音響振動発生装置）
２４ａ  振動出力面（凹曲面）
２６  電気音響変換器（音響振動発振源）
Ｒ１  受振面の曲率半径
Ｒ２  振動出力面の曲率半径
【図１】
0005970632.tif 000002
【図２】
0005970632.tif 000003
【図３】
0005970632.tif 000004
【図４】
0005970632.tif 000005
【図５】
0005970632.tif 000006
【図６】
0005970632.tif 000007